(57)【要約】  本発明の停止機構付スライダー(1)は、上翼板(11)に第１及び第２柱部(11a,11c)が起立したスライダー胴体(10)と、引手(20,60)と、板バネ部材(30,40,50,70)とを備え、前記板バネ部材(30,40,50,70) は、第１柱部(11a) に当接して上方への移動が規制される第１規制部と、第２柱部(11c) に当接して上方への移動が規制される第２規制部とを有する。前記第１及び第２規制部は、引手(20,60)の傾斜角度αが０°のときに第１及び第２柱部(11a,11c) から離間する位置に配される。前記第１規制部は、傾斜角度αが０°＜α＜１８０°の範囲内のとき又は前記引手(20,60) の前記枢軸部(22,62) が前記上翼板(11)から離間状態のとき、第１柱部(11a) に当接し上方への移動が規制される関係に配される。これにより、板バネ部材(30,40,50,70)が引手(20,60)によって持ち上げられても、板バネ部材(30,40,50,70)の弾性変形を小さく抑えて板バネ部材(30,40,50,70)の劣化を効果的に抑制できる。
2012032657.tif 000002
【特許請求の範囲】
【請求項１】
上下翼板(11,12) の前端部が案内柱(13)により連結されたスライダー胴体(10)と、枢軸部(22,62) を有する引手(20,60) と、屈曲した板バネ部材(30,40,50,70) とを備え、
前記上翼板(11)は、前記スライダー胴体(10)の後口側に形成された爪孔(11e) と、前記爪孔(11e) よりも前方側にて起立する第１柱部(11a) と、前記第１柱部(11a) よりも後方側にて起立する第２柱部(11c) とを有し、
前記板バネ部材(30,40,50,70) は、前記引手(20,60) の前記枢軸部(22,62) を上方から押さえる基板部(31,41,51,71) と、前記基板部(31,41,51,71) の後端から延出した停止爪部(33,43,53,73) と、前記基板部(31,41,51,71) から下方に延出する舌片部(35,45,55,75) とを有し、且つ、前記引手(20,60) の回動により前記停止爪部(33,43,53,73) を前記スライダー胴体(10)のエレメント案内路(15)に挿抜可能に前記スライダー胴体(10)に嵌着した停止機構付スライドファスナー用スライダー(1,2,3,4) であって、
前記板バネ部材(30,40,50,70) は、前記舌片部(35,45,55,75) に配され、前記第１柱部(11a) に当接して上方への移動が規制される第１規制部と、前記基板部(31,41,51,71) の前記舌片部(35,45,55,75) よりも前記停止爪部(33,43,53,73) 側に配され、第２柱部(11c) に当接して上方への移動が規制される第２規制部とを有し、
前記引手(20,60) の後方倒伏時における前記上翼板(11)の上面に対する前記引手(20,60) の傾斜角度αを０°とした場合、前記第１及び第２規制部は、前記傾斜角度αが０°のときに前記第１及び第２柱部(11a,11c) からそれぞれ離間する位置に配され、
前記第１規制部は、前記引手(20,60) の前記傾斜角度αが０°＜α＜１８０°の範囲内にあるときに又は前記引手(20,60) の前記枢軸部(22,62) が前記上翼板(11)から離間状態のときに、前記第１柱部(11a) に当接し上方への移動が規制される関係に配されてなる、
ことを特徴とするスライドファスナー用スライダー。
【請求項２】
前記第２規制部は、前記引手(20,60) が操作されて、前記第１規制部が前記第１柱部(11a) に当接して上方への移動が規制された状態から前記板バネ部材(30,50,70)の前記基板部(31,51,71) が更に持ち上げられたときに、前記第２柱部(11c) に当接し上方への移動が規制される関係に配されてなる請求項１記載のスライドファスナー用スライダー。
【請求項３】
前記第２規制部は、前記引手(20,60) が操作されて、前記第１規制部が前記第１柱部(11a) に当接して上方への移動が規制されると同時に、前記第２柱部(11c) に当接し上方への移動が規制される関係に配されてなる請求項１記載のスライドファスナー用スライダー。
【請求項４】
前記第１及び第２柱部(11a,11c) の先端部は屈曲して形成され、
前記舌片部(35,45,55,75) に第１窓部(36,46,56,76) が開口し、前記基板部(31,41,51,71) の前記舌片部(35,45,55,75) よりも前記停止爪部(33,43,53,73) 側に第２窓部(37,47,57,77) が開口し、
前記第１及び第２柱部(11a,11c) の先端部は、前記板バネ部材(30,40,50,70) の前記第１及び第２窓部(36,37,46,47,56,57,76,77) にそれぞれ遊挿され、
前記第１及び第２規制部は、前記第１及び第２窓部(36,37,46,47,56,57,76,77) の下側開口縁(36a,37a,46a,47a,56a,57a,76a,77a) によりそれぞれ構成されてなる請求項１記載のスライドファスナー用スライダー。
【請求項５】
前記板バネ部材(30,40,50,70) は、耐力が１５００Ｎ以上のステンレス鋼により構成されてなる請求項１記載のスライドファスナー用スライダー。
【請求項６】
前記板バネ部材(30,40,50,70) は、硬度が４３０Ｈｖ以上５００Ｈｖ以下のステンレス鋼により構成されてなる請求項１記載のスライドファスナー用スライダー。
【請求項７】
前記板バネ部材(30,40,50,70) は、１．００５以下の透磁率を有してなる請求項１記載のスライドファスナー用スライダー。
【発明の詳細な説明】
【技術分野】
【０００１】
本発明は、停止機構を備えたスライドファスナー用スライダーに関し、特に、停止爪部を有する板バネ部材が弾性を利用してスライダー胴体に嵌着したスライダーに関する。
【背景技術】
【０００２】
従来、スライドファスナーは各種の衣類や鞄類の開口部に取り付けられ、同スライドファスナーに配されたスライダーを摺動操作することにより、左右のエレメント列を噛合又は分離させて開口部を開閉することができる。また、スライドファスナーに用いられるスライダーとして、エレメント列上の任意の位置にてスライダーを停止させたときに、そのスライダーを停止位置で保持することが可能な停止機構を備えたものが知られている。【０００３】
例えば特開２００５−１７６９１０号公報（特許文献１）には、上述のような停止機構付きのスライダー１００が開示されている。図１３に示したように、この特許文献１に記載されているスライダー１００は、スライダー胴体９０、引手１１０、及び板バネ部材８０の３つの部品から構成されている。【０００４】
引手１１０は、スライダー１００の操作時に指で摘む部分となる引手本体部１１１と、引手本体部１１１の一端部に配され、断面がカム形状の枢軸部１１２とを有している。特許文献１の場合、引手１１０の枢軸部１１２は、引手１１０をスライダー胴体９０の後口側に倒伏させたときに引手本体部１１１に対して下方へ偏倚するように配されている。【０００５】
特許文献１の板バネ部材８０は、縦断面が略Ｃ字状に屈曲した形態を呈し、中間基板部８１と、中間基板部８１の前端から延出した垂下片部８２と、中間基板部８１の後端から下方に延出した停止爪部８３とを有している。また、中間基板部８１には、上面窓部８４が開口するとともに、この上面窓部８４の後側開口縁から前方に下り傾斜する舌片部８５が延出されている。この舌片部８５には第１窓部８６が開口し、中間基板部８１から停止爪部８３に亘っては第２窓部８７が開口している。更に、垂下片部８２の先端部には、幅方向に張り出す図示しない突起部が配されている。【０００６】
特許文献１のスライダー胴体９０は、上翼板９１と下翼板９２の前端部が連結柱９３で連結されて構成されている。このスライダー胴体９０の前端には、連結柱９３を間に挟んで左右の肩口が配され、スライダー胴体９０の後端には後口が配されており、上下翼板９１，９２間には、左右の肩口と後口とを連通するエレメント案内路９５が形成されている。【０００７】
上翼板９１は、前端部にて起立する第１柱部９１ａと、第１柱部９１ａよりも後方位置にて起立する第２柱部９１ｂとを有するとともに、第１柱部９１ａの後方側近傍には、板バネ部材８０の舌片部８５を挿入する挿入孔９１ｃが設けられ、第２柱部９１ｂの後方側近傍には、板バネ部材８０の停止爪部８３を挿入する爪孔９１ｄが設けられている。また、第１柱部９１ａの先端部は、幅方向の中央部に配された突出部９１ｅと、同突出部９１ｅの左右両側に配され、板バネ部材８０の舌片部８５に当接する図示しない当接部とを有している。この場合、当接部の先端面は、上翼板９１の上面に対して直交する向きに配されている。【０００８】
また、同スライダー胴体９０の前端部（案内柱の前面側）には、板バネ部材８０の垂下片部８２が嵌入する前端溝部９６が配されており、前端溝部９６内の下端部には、垂下片部８２の前記突起部を係止する図示しない係止部が前方へ向けて突設されている。【０００９】
上述のような部品を有するスライダー１００を組み立てる場合、引手１１０の枢軸部１１２を上翼板９１の上面に載置した後、板バネ部材８０の舌片部８５及び停止爪部８３を上翼板９１の挿入孔９１ｃ及び爪孔９１ｄにそれぞれ挿入する。次に、板バネ部材８０の舌片部８５を上翼板９１に配した第１柱部９１ａの当接部に圧接させながら、板バネ部材８０の垂下片部８２をスライダー胴体９０の前端溝部９６に嵌入させ、更に、板バネ部材８０を弾性変形させながら垂下片部８２を下方に押し下げることにより、垂下片部８２の突起部をスライダー胴体９０の係止部に係合させる。これにより、板バネ部材８０がスライダー胴体９０に嵌着し、図１３に示したようなスライダー１００が組み立てられる。【００１０】
このようにして組み立てられた特許文献１のスライダー１００では、引手１１０を後口側（後方側）に倒伏させた場合、板バネ部材８０の停止爪部８３がスライダー胴体９０のエレメント案内路９５内に進出する。このため、同スライダー１００を用いてスライドファスナーを構成した場合、引手１１０を後方側に倒伏させることにより、停止爪部８３がエレメント列のファスナーエレメント間に挿入されてロックされるため、エレメント列に対してスライダー１００を停止位置で保持することができる。【００１１】
また、スライダー１００の引手１１０を上翼板９１の上面に対して起立させた場合、引手１１０の枢軸部１１２により板バネ部材８０の中間基板部８１が同板バネ部材８０の弾性力に抗して上方に持ち上げられ、それによって、板バネ部材８０の垂下片部８２における湾曲部分が弾性変形するとともに、停止爪部８３をエレメント案内路９５から退避させることができる。このため、エレメント列に対してスライダー１００を自由に摺動させることができる。【００１２】
更に、引手１１０を肩口側（前方側）に倒伏させた場合には、引手１１０の枢軸部１１２が引手本体部１１１に対して偏倚しているため、板バネ部材８０の中間基板部８１が引手１１０の枢軸部１１２により持ち上げられた状態が維持され、スライダー１００を自由に摺動させることが可能となる。
【先行技術文献】
【特許文献】
【００１３】
【特許文献１】特開２００５−１７６９１０号公報
【発明の概要】
【発明が解決しようとする課題】
【００１４】
特許文献１に記載されているスライダー１００では、上述のように、板バネ部材８０の舌片部８５を上翼板９１の第１柱部９１ａに圧接させるとともに、板バネ部材８０の垂下片部８２をスライダー胴体９０の前端溝部９６に配した係止部に係合させることにより、板バネ部材８０の弾性力を利用して板バネ部材８０をスライダー胴体９０に嵌着させている。【００１５】
このような特許文献１のスライダー１００は、例えば引手１１０が引っ張られても、板バネ部材８０がスライダー胴体９０から外れてしまうこと防ぐために、上翼板９１に配した第２柱部９１ｂの先端部を板バネ部材８０の第２窓部８７に遊挿するとともに、板バネ部材８０に開口した第２窓部８７の下側開口縁が、上翼板９１に配した第２柱部９１ｂの先端部下面に当接可能に構成されている。【００１６】
即ち、特許文献１のスライダー１００において、例えば引手１１０の枢軸部１１２が上翼板９１の上面から離間するように引手１１０が強く引っ張られて板バネ部材８０が上方に持ち上げられたときには、板バネ部材８０の第２窓部８７の下側開口縁を第２柱部９１ｂの先端部下面に当接させることができる。これにより、特許文献１のスライダー１００では、板バネ部材８０が持ち上げられる高さを規制できるため、板バネ部材８０がスライダー胴体９０から外れることを防止できる。【００１７】
ところで、例えば衣類などに取着されるスライドファスナーにおいて、衣類が窮屈であった場合などでは、スライドファスナーを閉鎖するたびに、スライダーの引手を強く引っ張って、左右のエレメント列を噛合させる方向に摺動させることがある。【００１８】
しかし、このような衣類などに取着されるスライドファスナーに特許文献１のスライダー１００が用いられた場合、板バネ部材８０の第２窓部８７の下側開口縁を第２柱部９１ｂの先端部下面に当接させることにより、板バネ部材８０がスライダー胴体９０から外れることを防止できるものの、例えば板バネ部材８０の第２窓部８７の下側開口縁が第２柱部９１ｂに当接した状態から引手１１０が更に強く引っ張られた場合には、板バネ部材８０が引手１１０の枢軸部１１２から応力を受けて、板バネ部材８０における垂下片部８２の湾曲部分が大きく弾性変形し、同湾曲部分に過剰な歪みを生じさせる。【００１９】
このようにスライダー１００の操作（特に閉鎖操作）において引手１１０が強く引っ張られることにより、板バネ部材８０の上記湾曲部分に大きな歪みが繰り返して生じると、板バネ部材８０の劣化が早まり、その結果、スライダー１００の停止機構が正常に作動しなくなることや、また、板バネ部材８０が塑性変形してスライダー胴体９０から外れてしまうことがあった。【００２０】
本発明は上記従来の課題に鑑みてなされたものであって、その具体的な目的は、引手が強く引っ張られる操作が繰り返し行われる場合でも、板バネ部材が劣化することを抑えて停止機構の正常な作動を維持し、長期に渡って安定して使用することが可能な停止機構付スライドファスナー用スライダーを提供することにある。
【課題を解決するための手段】
【００２１】
上記目的を達成するために、本発明により提供されるスライドファスナー用スライダーは、基本的な構成として、上下翼板の前端部が案内柱により連結されたスライダー胴体と、枢軸部を有する引手と、屈曲した板バネ部材とを備え、前記上翼板は、前記スライダー胴体の後口側に形成された爪孔と、前記爪孔よりも前方側にて起立する第１柱部と、前記第１柱部よりも後方側にて起立する第２柱部とを有し、前記板バネ部材は、前記引手の前記枢軸部を上方から押さえる基板部と、前記基板部の後端から延出した停止爪部と、前記基板部から下方に延出する舌片部とを有し、且つ、前記引手の回動により前記停止爪部を前記スライダー胴体のエレメント案内路に挿抜可能に前記スライダー胴体に嵌着した停止機構付スライドファスナー用スライダーであって、前記板バネ部材は、前記舌片部に配され、前記第１柱部に当接して上方への移動が規制される第１規制部と、前記基板部の前記舌片部よりも前記停止爪部側に配され、第２柱部に当接して上方への移動が規制される第２規制部とを有し、前記引手の後方倒伏時における前記上翼板の上面に対する前記引手の傾斜角度αを０°とした場合、前記第１及び第２規制部は、前記傾斜角度αが０°のときに前記第１及び第２柱部からそれぞれ離間する位置に配され、前記第１規制部は、前記引手の前記傾斜角度αが０°＜α＜１８０°の範囲内にあるときに又は前記引手の前記枢軸部が前記上翼板から離間状態のときに、前記第１柱部に当接し上方への移動が規制される関係に配されてなることを最も主要な特徴とするものである。【００２２】
本発明に係るスライドファスナー用スライダーにおいて、前記第２規制部は、前記引手が操作されて、前記第１規制部が前記第１柱部に当接して上方への移動が規制された状態から前記板バネ部材の前記基板部が更に持ち上げられたときに、前記第２柱部に当接し上方への移動が規制される関係に配されていることが好ましい。【００２３】
また、前記第２規制部は、前記引手が操作されて、前記第１規制部が前記第１柱部に当接して上方への移動が規制されると同時に、前記第２柱部に当接し上方への移動が規制される関係に配されていても良い。【００２４】
本発明のスライドファスナー用スライダーでは、前記第１及び第２柱部の先端部は屈曲して形成され、前記舌片部に第１窓部が開口し、前記基板部の前記舌片部よりも前記停止爪部側に第２窓部が開口し、前記第１及び第２柱部の先端部は、前記板バネ部材の前記第１及び第２窓部にそれぞれ遊挿され、前記第１及び第２規制部は、前記第１及び第２窓部の下側開口縁によりそれぞれ構成されていることが好ましい。【００２５】
このような本発明のスライドファスナー用スライダーにおいて、前記板バネ部材は、耐力が１５００Ｎ以上のステンレス鋼により構成されていることが好ましい。また、前記板バネ部材は、硬度が４３０Ｈｖ以上５００Ｈｖ以下のステンレス鋼により構成されていることが好ましい。更に、前記板バネ部材は、１．００５以下の透磁率を有していることが好ましい。
【発明の効果】
【００２６】
本発明に係るスライドファスナー用スライダーにおいて、スライダー胴体の上翼板は、スライダー胴体の後口側に形成された爪孔と、爪孔よりも前方側にて起立する第１柱部と、第１柱部よりも後方側にて起立する第２柱部とを有している。同スライダーの板バネ部材は、引手の枢軸部を上方から押さえる基板部と、基板部の後端から延出した停止爪部と、基板部から下方に延出する舌片部と、舌片部に配され、第１柱部に当接して上方への移動が規制される第１規制部と、基板部の舌片部よりも停止爪部側に配され、第２柱部に当接して上方への移動が規制される第２規制部とを有しており、また、引手の回動により停止爪部をスライダー胴体のエレメント案内路に挿抜可能にスライダー胴体に嵌着している。【００２７】
また、同スライダーは、引手の後方倒伏時（後口側への倒伏時）における上翼板の上面に対する引手の傾斜角度αを０°とした場合、第１及び第２規制部が、傾斜角度αが０°のときに第１及び第２柱部からそれぞれ離間する位置に配されるように構成されている。このように引手の傾斜角度αが０°のときに板バネ部材の第１及び第２規制部と、第１及び第２柱部との間に間隙が設けられていることにより、例えばスライダー胴体や板バネ部材に部品寸法の誤差が生じても、板バネ部材をスライダー胴体に引っ掛からせることなく円滑に嵌着させて、スライダーを安定して組み立てることができる。【００２８】
更に、同スライダーは、引手の傾斜角度αが０°＜α＜１８０°の範囲内にあるときに又は引手の枢軸部が上翼板から離間状態のときに、第１規制部が第１柱部に当接し上方への移動が規制される関係に配されている。このように、引手が操作されて引手の傾斜角度αが０°＜α＜１８０°の範囲内にあるときに、又は引手が強く引っ張られること等によって引手の枢軸部が上翼板から離間状態のときに、舌片部に配した第１規制部が第１柱部に当接して上方への移動が規制されるようにスライダーが構成されていれば、第１規制部と第１柱部との当接によって板バネ部材が持ち上げられる高さを規制して、板バネ部材がスライダー胴体から外れることを確実に防止できる。【００２９】
特に、本発明のスライダーでは、引手の枢軸部により板バネ部材の基板部が同板バネ部材の弾性力に抗して上方に持ち上げられた場合、板バネ部材の基板部（特に、基板部の前端部分）が主に弾性変形することから、引手の枢軸部が当接する板バネ部材の部分よりも、板バネ部材の湾曲部分に近い前方側の位置にて第１規制部を第１柱部に当接させることによって、板バネ部材の当該湾曲部分における弾性変形量を効果的に抑えることができる。【００３０】
これにより、本発明のスライダーは、例えば前記特許文献１のように板バネ部材を引手の枢軸部が当接する部分よりも後方側の位置にて第２柱部の先端部下面に当接させる従来のスライダーに比べて、引手の枢軸部によって板バネ部材が持ち上げられたときに、板バネ部材の湾曲部分における弾性変形（歪み）を小さくすることができ、引手からの引っ張り応力に対してより安定して堪えることができる。【００３１】
その結果、スライダーにおいて引手が強く引っ張られる操作が繰り返し行われても、第１規制部が上方へ移動することが規制されることにより、板バネ部材の劣化を効果的に抑制でき、停止機構が正常に作動しなくなるという不具合（例えば、ロック不良等）や、板バネ部材がスライダー胴体から外れるという不具合を生じさせることなく、スライダーを長期に渡って安定して使用することが可能となる。【００３２】
このような本発明のスライダーにおいて、第２規制部は、引手が操作されて第１規制部が第１柱部に当接して上方への移動が規制された状態から板バネ部材の基板部が更に持ち上げられたときに、第２柱部に当接し上方への移動が規制される関係に配されていることにより、第１規制部が第１柱部に当接した状態から引手が強く引っ張られても、板バネ部材の基板部が所定の高さ以上に持ち上げられることを防止できる。これにより、板バネ部材に大きな歪みが生じることを防いで、板バネ部材の劣化をより効果的に抑制できるとともに、板バネ部材が塑性変形することも防止できる。【００３３】
一方、本発明では、第２規制部は、引手が操作されて第１規制部が第１柱部に当接して上方への移動が規制されると同時に、第２柱部に当接し上方への移動が規制される関係に配されていても良い。これによっても、引手の枢軸部によって板バネ部材が持ち上げられたときに、板バネ部材の歪みをより確実に小さく抑えることができるため、板バネ部材の劣化を効果的に抑制でき、また、板バネ部材が塑性変形することも防止できる。【００３４】
本発明のスライダーでは、第１及び第２柱部の先端部は屈曲して形成されている。また、舌片部に第１窓部が開口するとともに、基板部の舌片部よりも停止爪部側に、第２窓部が基板部から停止爪部に亘って開口しており、これらの第１及び第２窓部に第１及び第２柱部の先端部がそれぞれ遊挿されている。更に、第１及び第２規制部は、第１及び第２窓部の下側開口縁によりそれぞれ構成されている。【００３５】
このように第１及び第２規制部が構成されていることにより、第１規制部である第１窓部の下側開口縁が第１柱部の先端部下面に当接したときに、第１規制部を有する舌片部が上方へ移動することを確実に規制して、板バネ部材の基板部が上方に持ち上げられることを効果的に抑えられる。また、第２規制部である第２窓部の下側開口縁が第２柱部の先端部下面に当接したときに、第２規制部が上方へ移動することを確実に規制して、第１規制部とともに板バネ部材の基板部が上方に持ち上げられることをより効果的に抑えられる。【００３６】
また、本発明のスライドファスナー用スライダーにおいて、板バネ部材は、耐力が１５００Ｎ以上のステンレス鋼により構成されている。これにより、板バネ部材の耐力が１５００Ｎ以上であることにより、引手が強く引っ張られたときや、板バネ部材に衝撃力が加えられたときなどに板バネ部材が塑性変形することを防ぎ、ロック不良等の停止機構の不具合が生じることを防止できる。なおこの場合、板バネ部材の材質となるステンレス鋼の耐力は、板バネ部材を所定の形状に安定して成形するために、１８００Ｎ以下、特に１７００Ｎ以下であることが好ましい。【００３７】
更に、同スライダーにおいて、板バネ部材は、硬度が４３０Ｈｖ以上５００Ｈｖ以下のステンレス鋼により構成されている。板バネ部材の硬度が４３０Ｈｖ以上であることにより、１５００Ｎ以上の耐力を安定して得ることができる。また、板バネ部材の硬度が５００Ｈｖ以下であれば、ステンレス鋼の板材をプレス加工するときに、金型の破損等を生じさせることなく板バネ部材を成形でき、金型の寿命に悪影響を及ぼすことはない。【００３８】
更にまた、同スライダーにおいて、板バネ部材は、１．００５以下の透磁率を有している。一般に、スライドファスナーが取着される衣服等の被着製品においては、被着製品の縫製工程が行われた後に、磁気を利用する検針器によって縫製時に混入した折れ針を検出する検出工程が行われている。この場合、スライドファスナーに用いられるスライダーには、前記検出工程において検針器がスライダーの板バネ部材を折れ針と間違えて検出することがないように、検針器に対する対応が要求されている。従って、本発明において板バネ部材の透磁率を１．００５以下にすることにより、検針器がスライダーの板バネ部材を検出することを防ぎ、検針器に対応したスライダーを構成することができる。
【図面の簡単な説明】
【００３９】
【図１】図１は、本発明の実施例１に係るスライドファスナー用スライダーを示す斜視図である。
【図２】図２は、同スライダーを構成する板バネ部材を示す斜視図である。
【図３】図３は、同スライダーにおいて引手を後口側に倒伏させたときの上面図である。
【図４】図４は、図３に示したＩＩＩ−ＩＩＩ線の断面図である。
【図５】図５は、同スライダーにおいて引手を操作して回動させたときの状態を示す断面図である。
【図６】図６は、同スライダーにおいて引手を引っ張って枢軸部を上翼板の上面から離間させたときの状態を示す断面図である。
【図７】図７は、本発明の実施例２に係るスライドファスナー用スライダーにおいて、引手を後口側に倒伏させたときの状態を示す断面図である。
【図８】図８は、同スライダーにおいて引手を操作して回動させたときの状態を示す断面図である。
【図９】図９は、本発明の実施例３に係るスライドファスナー用スライダーにおいて、引手を操作して回動させたときの状態を示す断面図である。
【図１０】図１０は、本発明の実施例４に係るスライドファスナー用スライダーにおいて、引手を後口側に倒伏させたときの状態を示す断面図である。
【図１１】図１１は、同スライダーにおいて引手を操作して回動させたときの状態を示す断面図である。
【図１２】図１２は、同スライダーにおいて引手を肩口側に倒伏させたときの状態を示す断面図である。
【図１３】図１３は、従来のスライドファスナー用スライダーを示す断面図である。
【発明を実施するための形態】
【００４０】
以下、本発明の好適な実施の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。
【実施例１】
【００４１】
図１は、本実施例１に係るスライドファスナー用スライダーを示す斜視図であり、図２は、同スライダーを構成する板バネ部材を示す斜視図である。また、図３は、同スライダーにおいて引手を後口側に倒伏させたときの上面図であり、図４は、図３に示したＩＩＩ−ＩＩＩ線の断面図である。【００４２】
なお、以下の説明においては、スライダーの摺動方向（長さ方向）を前後方向と規定し、特に、スライダーの肩口が配されている側を前方とし、スライダーの後口が配されている側を後方とする。また、スライダーの幅方向を左右方向と規定する。更に、スライダーの上下翼板が向かい合う方向（高さ方向）を上下方向と規定し、特に、スライダー胴体に対して引手が配される側を上方とし、その反対側を下方とする。【００４３】
また、同スライダーにおいて、上翼板の上面に対する引手の傾斜角度αは、引手を後口側（後方側）に倒伏させたときの場合を０°とし、引手を肩口側（前方側）に倒伏させたときの場合を１８０°とし、引手を上翼板の上面に対して直交する方向に起立させたときの場合を９０°と規定する。【００４４】
本実施例１に係るスライドファスナー用スライダー１は、後述する停止爪部３３による停止機構を備えたスライダーであり、例えばジーンズのような衣類や鞄類などに取着されるスライドファスナーに主に用いられる。同スライダー１は、スライダー胴体１０、スライダー胴体１０に回動可能に取着される引手２０、及び、スライダー胴体１０に嵌着する板バネ部材３０の３つの部品から構成されている。この場合、スライダー胴体１０と引手２０とは、銅亜鉛合金などの金属製板材をプレス加工することによって作製されている。【００４５】
本実施例１のスライダー胴体１０は、上翼板１１と、下翼板１２と、上下翼板１１，１２を前端部にて連結する案内柱１３と、上下翼板１１，１２の左右側縁部に配された上下フランジ部１４とを有している。また、スライダー胴体１０の後端には後口が配されており、スライダー１の前端側で且つ案内柱１３の左右両側には肩口が配されている。更に、スライダー胴体１０の上下翼板１１，１２間には、後口と左右の肩口とを連通する略Ｙ字状のエレメント案内路１５が配されている。【００４６】
同スライダー胴体１０の上翼板１１には、上翼板１１の前端部に突設された第１柱部１１ａと、第１柱部１１ａの基端部（上翼板１１側の端部）を囲むように上翼板１１の上面から隆起した支持台部１１ｂと、第１柱部１１ａよりも後方位置に突設された第２柱部１１ｃとが配されている。【００４７】
また、上翼板１１における第１柱部１１ａの基端部後方側には、板バネ部材３０の後述する舌片部３５を挿入する挿入孔１１ｄが穿設されており、第２柱部１１ｃの基端部後方側には、板バネ部材３０の後述する停止爪部３３を挿入する爪孔１１ｅが穿設されている。【００４８】
前記第１柱部１１ａは、上翼板１１の上面から上方に起立し、先端部側が後方に屈曲したフック状に形成されている。また、第１柱部１１ａの先端部は、図３に示すように、幅方向の中央部に配された突出部１１ｆと、同突出部１１ｆの左右両側に配され、板バネ部材３０の舌片部３５に当接する当接部１１ｇとを有している。【００４９】
この場合、当接部１１ｇの先端面は、上翼板１１の上面に対して直交する向きに配されている。前記支持台部１１ｂは、第１柱部１１ａの前方側と左右側方側とに配されており、板バネ部材３０をスライダー胴体１０に嵌着したときに同板バネ部材３０の後述する基板部３１を支持するように構成されている。【００５０】
前記第２柱部１１ｃは、挿入孔１１ｄと爪孔１１ｅとの間の位置にて、上翼板１１の上面から後方に傾斜するように起立し、先端部側が上翼板１１の上面と略平行となるように後方に屈曲したフック状に形成されている。上翼板１１に穿設された挿入孔１１ｄ及び爪孔１１ｅは、上翼板１１の上面からエレメント案内路１５に貫通している。また、挿入孔１１ｄ及び爪孔１１ｅの幅方向の寸法は、板バネ部材３０の舌片部３５及び停止爪部３３をそれぞれ挿入可能な大きさに設定されている。【００５１】
また、スライダー胴体１０の前端部には、前端溝部１６が上下方向に沿って凹設されている。この前端溝部１６は、その溝幅（前端溝部１６内の左右壁面間の間隔）が前端溝部１６の底面から前方に向けて漸増するように、左右の肩口の間に配されている。また、同前端溝部１６内には、前端溝部１６の底面から前方に向けて略直角三角形状に突出する左右一対の第１係止部１６ａと、左右の第１係止部１６ａの間に第１係止部１６ａよりも底面からの突出高さを低くして突出する第２係止部１６ｂとが配されている。【００５２】
更に、前端溝部１６の下端には下壁部１６ｃが設けられており、この下壁部１６ｃの下面は、下翼板１２の下面に沿うように形成されている。これにより、スライダー１を摺動させるときに、スライダー１の下翼板１２側に障害物（例えば衣類の生地など）があっても、スライダー１の前端溝部１６が障害物に引っ掛かることを防ぎ、スライダー１の摺動操作を円滑に行うことができる。【００５３】
本実施例１の引手２０は、スライダー１の操作時に指で摘む部分となる引手本体部２１と、引手本体部２１の一端部に配され、断面がカム形状を呈する枢軸部２２とを有している。また、本実施例１の引手２０は、引手本体部２１における厚さ方向の中心面と、枢軸部２２における厚さ方向の中心面とが同じ平面上に配されるように構成されている。【００５４】
本実施例１の板バネ部材３０は、Ｃｒ−Ｎｉ−Ｍｎ系ステンレス鋼の板材をプレス加工することにより、縦断面が略Ｃ字状に屈曲した形態を有するように成形されている。この板バネ部材３０は、引手２０の枢軸部２２を上方から押さえる基板部３１と、基板部３１の前端から延出した垂下片部３２と、基板部３１の後端から下方に延出し、スライダー胴体１０のエレメント案内路１５に挿抜可能な停止爪部３３とを有している。【００５５】
また、基板部３１には、上面窓部３４が開口するとともに、この上面窓部３４の後側開口縁から前方へ向けて下り傾斜する舌片部３５が延出されている。この舌片部３５には第１窓部３６が開口しており、また、基板部３１の舌片部３５よりも停止爪部３３側に、基板部３１から停止爪部３３に亘って第２窓部３７が開口している。【００５６】
同板バネ部材３０の垂下片部３２は、基板部３１よりも細幅に形成されており、基板部３１から延出して下方に湾曲する湾曲部と、湾曲部の先端から直線的に垂下する先端部とを有している。また、垂下片部３２の先端部の下端には、左右方向に張り出す第１突起部３２ａと、後方に突出する第２突起部３２ｂとが配されており、これらの第１及び第２突起部３２ａ，３２ｂは、板バネ部材３０を後述するようにスライダー胴体１０に嵌着させる際に、スライダー胴体１０の前端溝部１６内に突設した第１及び第２係止部１６ａ，１６ｂにそれぞれ係止するように形成されている。【００５７】
また、本実施例１の板バネ部材３０に開口した第１窓部３６は、後述するようにスライダー胴体１０に板バネ部材３０を嵌着させてスライダー１を組み立てた場合、スライダー胴体１０の第１柱部１１ａに配した突出部１１ｆが遊挿されるように、第１窓部３６における幅方向の開口寸法が突出部１１ｆの幅方向の寸法（幅寸法）よりも大きく設定されて形成されている。【００５８】
更に、第１窓部３６の下側開口縁３６ａは、引手２０の傾斜角度αが０°となる引手２０の後方倒伏時に及び傾斜角度αが１８０°となる引手２０の前方倒伏時に、第１柱部１１ａから離間する位置に配されている。また、第１窓部３６の下側開口縁３６ａは、引手２０の傾斜角度αが０°＜α＜１８０°の範囲内、好ましくは３０°≦α≦１５０°の範囲内となる引手２０の操作時に第１柱部１１ａの先端部（突出部１１ｆ）の下面に当接する位置に配されている。従って、この第１窓部３６の下側開口縁３６ａは、引手２０が上記範囲で操作されたときに第１柱部１１ａの先端部下面に当接し、同下側開口縁３６ａがその当接位置よりも上方へ移動することを規制する第１規制部として機能する。【００５９】
一方、基板部３１の上面窓部３４よりも後方側に開口した第２窓部３７は、スライダー１を組み立てた場合に第２柱部１１ｃの先端部が遊挿されるように、第２窓部３７における幅方向の開口寸法が第２柱部１１ｃにおける先端部の幅寸法よりも大きく設定されて形成されている。【００６０】
更に、第２窓部３７の下側開口縁３７ａは、引手２０の傾斜角度αが０°となる引手２０の後方倒伏時に及び傾斜角度αが１８０°となる引手２０の前方倒伏時に、第２柱部１１ｃから離間する位置に配されている。また、第２窓部３７の下側開口縁３７ａは、引手２０が操作されて、第１窓部３６の下側開口縁３６ａが第１柱部１１ａに当接した状態から板バネ部材３０の基板部３１が更に持ち上げられて引手２０の枢軸部２２が上翼板１１の上面から離間したときに、第２柱部１１ｃの先端部下面に当接する位置に配されている。従って、この第２窓部３７の下側開口縁３７ａは、引手２０の枢軸部２２が上翼板１１の上面から離間したときに第２柱部１１ｃの先端部下面に当接し、同下側開口縁３７ａがその当接位置よりも上方へ移動することを規制する第２規制部として機能する。【００６１】
特に本実施例１では、引手２０の後方倒伏時に又は前方倒伏時において、第１窓部３６の下側開口縁３６ａと第１柱部１１ａの先端部下面との間の離間距離に対し、第２窓部３７の下側開口縁３７ａと第２柱部１１ｃの先端部下面との間の離間距離が２倍以上の大きさに、好ましくは３倍以上の大きさに設定されている。【００６２】
またこの場合、本実施例１の板バネ部材３０は、１５００Ｎ以上の耐力を有するステンレス鋼により構成されている。従来の板バネ部材の材質には、板バネ部材を所望の形状に容易にプレス成形するために、１０００Ｎ〜１２００Ｎ程度の耐力を有するステンレス鋼が用いられてきたが、本実施例１では、１５００Ｎ以上の耐力を有するステンレス鋼をプレス成形することにより板バネ部材３０が作製されている。【００６３】
これにより、本実施例１のスライダー１では、引手２０が強く引っ張られたときや、板バネ部材３０に衝撃力が加えられたときなどに板バネ部材３０を塑性変形し難くすることができ、ロック不良等の停止機構の不具合が生じることを防止できる。一方、板バネ部材３０を所定の形状に安定してプレス成形するために、本実施例１の板バネ部材３０を構成するステンレス鋼には、１８００Ｎ以下、特に１７００Ｎ以下の耐力を有するものが用いられている。【００６４】
また、同板バネ部材３０を構成するステンレス鋼は、４３０Ｈｖ以上５００Ｈｖ以下の硬度を有している。板バネ部材３０の硬度が４３０Ｈｖ以上であることにより、１５００Ｎ以上の耐力を安定して得ることができる。また、板バネ部材３０の硬度が５００Ｈｖ以下であれば、ステンレス鋼の板材をプレス加工するときに、金型の破損等を生じさせることなく板バネ部材３０を安定して成形することができる。
更に、同板バネ部材３０は、検針器に対応するために透磁率が１．００５以下となるように構成されている。【００６５】
次に、上述した３つの部品を有するスライダー１を組み立てる方法について説明する。
先ず、スライダー胴体１０の上翼板１１の上面側に引手２０を載置する。このとき、引手２０の枢軸部２２を、スライダー胴体１０の第１柱部１１ａ（及び支持台部１１ｂ）と、第２柱部１１ｃとの間に挿入するとともに、引手２０を後口側に倒伏させた状態で保持する。【００６６】
次に、引手２０の枢軸部２２が板バネ部材３０の基板部３１により上方から被せられるように、板バネ部材３０をスライダー胴体１０に載上する。このとき、板バネ部材３０の舌片部３５及び停止爪部３３を上翼板１１の挿入孔１１ｄ及び爪孔１１ｅにそれぞれ挿入するとともに、板バネ部材３０の第２窓部３７に、スライダー胴体１０の第２柱部１１ｃの先端部を遊挿する。これにより、板バネ部材３０の舌片部３５がスライダー胴体１０の第１柱部１１ａに当接するとともに、板バネ部材３０の垂下片部３２の下端部がスライダー胴体１０の前端溝部１６に軽く挿入された状態となる。【００６７】
続いて、板バネ部材３０をスライダー胴体１０に向けて押圧する。これにより、板バネ部材３０の舌片部３５が弾性変形しながら押し下げられ、スライダー胴体１０の第１柱部１１ａの突出部１１ｆが板バネ部材３０の第１窓部３６に遊挿されるとともに、板バネ部材３０の舌片部３５が第１柱部１１ａの当接部１１ｇに圧接する。更に、スライダー胴体１０の第１柱部１１ａが板バネ部材３０の上面窓部３４に嵌挿されるとともに、上面窓部３４の左右両側に配された側縁部がスライダー胴体１０の支持台部１１ｂに載置される。【００６８】
また同時に、板バネ部材３０の垂下片部３２がスライダー胴体１０の前端溝部１６に沿って案内されながら押し下げられ、垂下片部３２の下端部がスライダー胴体１０の前端溝部１６に配した第１係止部１６ａを乗り越えるように垂下片部３２が弾性変形する。その後、垂下片部３２の下端部が前端溝部１６内の第１係止部１６ａを乗り越えることにより垂下片部３２が弾性復帰し、それによって、垂下片部３２がスライダー胴体１０の前端溝部１６に嵌入して前端溝部１６の底面に圧接するとともに、垂下片部３２の第１及び第２突起部３２ａ，３２ｂがスライダー胴体１０の前端溝部１６に配した第１及び第２係止部１６ａ，１６ｂにそれぞれ係止される。【００６９】
これにより、板バネ部材３０を弾性力を利用してスライダー胴体１０に嵌着させて、図３及び図４に示したような本実施例１のスライダー１を組み立てることができる。特に、本実施例１のスライダー１では、引手２０を後口側に倒伏させた状態（引手２０の傾斜角度αが０°の状態）にて板バネ部材３０をスライダー胴体１０に嵌着させるため、スライダー１の組み立て時に、板バネ部材３０の第１及び第２窓部３６，３７の下側開口縁３６ａ，３７ａと、第１及び第２柱部１１ａ，１１ｃの下面との間には間隙が設けられる。これにより、例えばスライダー胴体１０や板バネ部材３０の部品寸法に誤差が生じている場合でも、板バネ部材３０をスライダー胴体１０に引っ掛からせることなく円滑に嵌着させ、スライダー１を安定して組み立てることができる。【００７０】
そして、このようにして組み立てられた本実施例１のスライダー１は、図４に示したように引手２０を後口側（後方）に倒伏させた場合（引手２０の傾斜角度αが０°の場合）や、引手２０を肩口側（前方）に倒伏させた場合（引手２０の傾斜角度αが１８０°の場合）では、第１及び第２窓部３６，３７の下側開口縁３６ａ，３７ａが第１及び第２柱部１１ａ，１１ｃからそれぞれ離間するとともに、板バネ部材３０の停止爪部３３がスライダー胴体１０のエレメント案内路１５内に進出した状態（挿入された状態）となる。【００７１】
このため、本実施例１のスライダー１を用いてスライドファスナーを構成した場合、引手２０を後口側又は肩口側に倒伏させることにより、停止爪部３３がエレメント列のファスナーエレメント間に挿入されてロックされるため、エレメント列に対してスライダー１を停止位置で保持することができる。【００７２】
一方、本実施例１のスライダー１では、図５に示したように引手２０を後口側又は肩口側に倒伏させた状態から、引手２０の枢軸部２２を上翼板１１の上面に当接させたまま、引手２０の傾斜角度αが０°＜α＜１８０°の範囲内、特に３０°≦α≦１５０°の範囲内となるように引手２０を起立させて操作した場合、引手２０の断面がカム形状を呈する枢軸部２２によって板バネ部材３０の基板部３１が同板バネ部材３０の弾性力に抗して上方に持ち上げられる。それによって、板バネ部材３０の垂下片部３２における湾曲部分が弾性変形するとともに、停止爪部３３を持ち上げてエレメント案内路１５内から退避させる（抜出させる）ことができる。これにより、エレメント列に対してスライダー１を自由に摺動させることが可能となる。【００７３】
また、このように引手２０の枢軸部２２を上翼板１１の上面に当接させたまま、傾斜角度αが０°＜α＜１８０°の範囲内、特に３０°≦α≦１５０°の範囲内で引手２０が操作された場合、本実施例１のスライダー１では、板バネ部材３０の基板部３１が枢軸部２２によって上方に持ち上げられるものの、第１窓部３６の下側開口縁３６ａ（第１規制部）を第１柱部１１ａの下面に当接させることができる。これによって、下側開口縁３６ａが上方へ移動することを規制して板バネ部材３０が高く持ち上げられることを抑止でき、板バネ部材３０（特に板バネ部材３０の湾曲部分）の歪みが過剰に大きくなることを抑えられる。【００７４】
なお、本実施例１のスライダー１では、上述のように、第２窓部３７の下側開口縁３７ａと第２柱部１１ｃの先端部下面との間の離間距離が、引手２０の後方倒伏時に（又は前方倒伏時に）おいて、第１窓部３６の下側開口縁３６ａと第１柱部１１ａの先端部下面との間の離間距離の２倍以上の大きさに、好ましくは３倍以上の大きさに設定されている。このため、引手２０の枢軸部２２が上翼板１１の上面に接触している状態では、第１窓部３６の下側開口縁３６ａが第１柱部１１ａの先端部下面に当接しても、第２窓部３７の下側開口縁３７ａは、第２柱部１１ｃの下面から離間している状態が保持される。【００７５】
更に、本実施例１のスライダー１では、スライドファスナーにおいて左右のエレメント列を噛合させる方向に摺動させる際に、引手２０の枢軸部２２が上翼板１１の上面に当接し、且つ、第１窓部３６の下側開口縁３６ａが第１柱部１１ａの下面に当接している状態から、引手２０が例えば傾斜角度αが９０°≦α≦１５０°の範囲で更に強く引っ張られることによって、引手２０の枢軸部２２が上翼板１１の上面から離間する場合がある。【００７６】
この場合、図６に示したように、第１窓部３６の下側開口縁３６ａが第１柱部１１ａの下面に当接した状態が維持されるため、板バネ部材３０の湾曲部分における弾性変形は抑えられるものの、板バネ部材３０の基板部３１が引手２０の枢軸部２２から大きな力を受けて弾性変形し、更に上方に持ち上げられる。【００７７】
このとき、本実施例１のスライダー１では、第１窓部３６の下側開口縁３６ａが第１柱部１１ａの下面に当接した状態を維持したまま、第２窓部３７の下側開口縁３７ａ（第２規制部）を第２柱部１１ｃの下面に当接させて、当該下側開口縁３７ａが上方へ移動することを規制できる。これによって、引手２０が強く引っ張られた場合でも、第１及び第２窓部３６，３７の下側開口縁３６ａ，３７ａを第１及び第２柱部１１ａ，１１ｃにそれぞれ当接させることによって板バネ部材３０が上方に持ち上げられる高さを効果的に制限し、板バネ部材３０の全体が必要以上に弾性変形することを安定して抑制できる。【００７８】
以上のように、本実施例１のスライダー１によれば、引手２０の枢軸部２２を上翼板１１の上面に当接させた状態で傾斜角度αが０°＜α＜１８０°の範囲で引手２０を操作した場合には（図５を参照）、第１窓部３６の下側開口縁３６ａを第１柱部１１ａに当接させて板バネ部材３０が高く持ち上げられることを抑止でき、更に、引手２０が強く引っ張られて引手２０の枢軸部２２が上翼板１１の上面から離間した場合には（図６を参照）、第１及び第２窓部３６，３７の下側開口縁３６ａ，３７ａを第１及び第２柱部１１ａ，１１ｃにそれぞれ当接させて板バネ部材３０が上方に持ち上げられる高さをより効果的に制限できる。【００７９】
従って、本実施例１のスライダー１は、例えば衣類などに取着されるスライドファスナーに用いられてスライダーの引手を強く引っ張る操作が繰り返し行われても、引手２０の枢軸部２２によって板バネ部材３０が持ち上げられたときに板バネ部材３０に生じる弾性変形（歪み）を小さく抑えることができる。このため、板バネ部材３０がスライダー胴体１０から外れることを防止できるとともに、板バネ部材３０の劣化を抑えて停止機構の正常な作動を維持し、スライダー１を長期に渡って安定して使用することができる。【００８０】
なお、本実施例１の板バネ部材３０において、スライダー胴体１０の第１柱部１１ａに当接して上方への移動を規制する第１規制部、及びスライダー胴体１０の第２柱部１１ｃに当接して上方への移動を規制する第２規制部は、それぞれ板バネ部材３０に形成した第１窓部３６の下側開口縁３６ａ、及び第２窓部３７の下側開口縁３７ａにより構成されているが、本発明において、第１及び第２規制部の構成はこれに限定されるものではない。【００８１】
本発明では、例えば板バネ部材の舌片部に、第１窓部を開口させる代わりに、スライダー胴体１０の第１柱部１１ａに向けて突出する第１突片部を設け、また、板バネ部材の基板部の後端部に、第２窓部を開口させる代わりに、スライダー胴体１０の第２柱部１１ｃに向けて突出する第２突片部を設けておき、これらの第１突片部及び第２突片部をそれぞれ第１規制部及び第２規制部として用いることも可能である。
【実施例２】
【００８２】
図７は、本発明の実施例２に係るスライドファスナー用スライダーにおいて、引手を後口側に倒伏させたときの状態を示す断面図であり、図８は、同スライダーにおいて引手を操作して回動させたときの状態を示す断面図である。【００８３】
なお、本実施例２に係るスライドファスナー用スライダー２は、板バネ部材４０に開口した第１及び第２窓部４６，４７の下側開口縁４６ａ，４７ａと、スライダー胴体１０の第１及び第２柱部１１ａ，１１ｃの下面との相対的な位置関係が相違することを除いて、前述の実施例１に係るスライダー１と基本的に同じ構成を有している。従って、本実施例２並びに後述する実施例３及び４において、前述の実施例１にて説明した部材及び部位と同様の構成を有するものについては、同じ符号を用いて表すことによってその説明を省略することとする。【００８４】
本実施例２に係るスライダー２は、スライダー胴体１０、スライダー胴体１０に回動可能に取着される引手２０、及び、スライダー胴体１０に嵌着する板バネ部材４０の３つの部品から構成されており、前述の実施例１と同様に、板バネ部材４０の後述する停止爪部４３による停止機構を備えている。【００８５】
本実施例２の板バネ部材４０は、前述の実施例１の板バネ部材３０を構成するステンレス鋼と同じステンレス鋼からなる板材をプレス加工することにより、縦断面が略Ｃ字状に屈曲した形態を有するように成形されている。この板バネ部材４０は、基板部４１と、基板部４１の前端から延出した垂下片部４２と、基板部４１の後端から下方に延出した停止爪部４３とを有している。【００８６】
また、基板部４１には、上面窓部４４が開口するとともに、この上面窓部４４の後側開口縁から前方へ向けて下り傾斜する舌片部４５が延出されている。この舌片部４５には第１窓部４６が開口しており、また、基板部４１から停止爪部４３に亘っては第２窓部４７が開口している。同板バネ部材４０における垂下片部４２の先端部下端には、左右方向に張り出す図示しない第１突起部と、後方に突出する第２突起部とが配されている。【００８７】
本実施例２の第１窓部４６は、スライダー２を組み立てたときにスライダー胴体１０の第１柱部１１ａに配した突出部１１ｆが遊挿されるように、第１窓部４６における幅方向の開口寸法が突出部１１ｆの幅寸法よりも大きく設定されて形成されている。【００８８】
更に、第１窓部４６の下側開口縁４６ａは、引手２０の傾斜角度αが０°となる引手２０の後方倒伏時に及び傾斜角度αが１８０°となる引手２０の前方倒伏時に、第１柱部１１ａから離間する位置に配されている。また、第１窓部４６の下側開口縁４６ａは、引手２０の傾斜角度αが０°＜α＜１８０°の範囲内、好ましくは３０°≦α≦１５０°の範囲内となる引手２０の操作時において、第１柱部１１ａの先端部下面に当接する位置に第１規制部として配されている。【００８９】
一方、本実施例２の第２窓部４７は、スライダー２を組み立てたときにスライダー胴体１０に配した第２柱部１１ｃの先端部が遊挿されるように、第２窓部４７における幅方向の開口寸法が第２柱部１１ｃにおける先端部の幅寸法よりも大きく設定されて形成されている。【００９０】
更に、第２窓部４７の下側開口縁４７ａは、引手２０の傾斜角度αが０°となる引手２０の後方倒伏時に及び傾斜角度αが１８０°となる引手２０の前方倒伏時に、第２柱部１１ｃから離間する位置に配されている。また、第２窓部４７の下側開口縁４７ａは、例えば前述の実施例１における第２窓部３７の下側開口縁３７ａよりも上方に位置しており、引手２０の傾斜角度αが０°＜α＜１８０°の範囲内、好ましくは３０°≦α≦１５０°の範囲内となる引手２０の操作時において、第１窓部４６の下側開口縁４６ａが第１柱部１１ａの先端部下面に当接すると同時に、第２柱部１１ｃの先端部下面に当接する位置に第２規制部として配されている。【００９１】
以上のような構成を有する本実施例２のスライダー２では、図７に示したように引手２０を後口側（後方）に倒伏させた場合（引手２０の傾斜角度αが０°の場合）や、引手２０を肩口側（前方）に倒伏させた場合（引手２０の傾斜角度αが１８０°の場合）では、第１及び第２窓部４６，４７の下側開口縁４６ａ，４７ａが第１及び第２柱部１１ａ，１１ｃからそれぞれ離間するとともに、板バネ部材４０の停止爪部４３がスライダー胴体１０のエレメント案内路１５内に進出した状態となり、同スライダー２の停止機構が作動する。【００９２】
そして、本実施例２のスライダー２では、図８に示したように引手２０を後口側又は肩口側に倒伏させた状態から、引手２０の枢軸部２２を上翼板１１の上面に当接させたまま、引手２０の傾斜角度αが０°＜α＜１８０°の範囲内、特に３０°≦α≦１５０°の範囲内となるように引手２０を起立させて操作した場合、引手２０の枢軸部２２によって板バネ部材４０の基板部４１が同板バネ部材４０の弾性力に抗して上方に持ち上げられる。これにより、停止爪部４３が持ち上げられてエレメント案内路１５から退避するため、エレメント列に対してスライダー２を自由に摺動させることが可能となる。【００９３】
またこの場合、本実施例２のスライダー２では、第１及び第２窓部４６，４７の下側開口縁４６ａ，４７ａを第１及び第２柱部１１ａ，１１ｃの下面に同時に当接させることができる。これによって、板バネ部材４０が持ち上げられる高さを効果的に規制でき、板バネ部材４０が必要以上に弾性変形することを安定して抑制できる。【００９４】
なお、本実施例２のスライダー２では、上述のように、引手２０を倒伏状態から起立させたときに、第１及び第２窓部４６，４７の下側開口縁４６ａ，４７ａが第１及び第２柱部１１ａ，１１ｃに同時に当接し、板バネ部材４０が持ち上げられる高さが規制される。このため、引手２０の枢軸部２２が上翼板１１の上面に当接し、且つ、第１及び第２窓部４６，４７の下側開口縁４６ａ，４７ａが第１及び第２柱部１１ａ，１１ｃに当接している状態から、引手２０が更に強く引っ張られても、引手２０の枢軸部２２が上翼板１１の上面から離間するように板バネ部材４０が更に持ち上げられることを抑制でき、板バネ部材４０に生じる弾性変形（弾性歪み）を小さく抑えることができる。
【実施例３】
【００９５】
図９は、本発明の実施例３に係るスライドファスナー用スライダーにおいて、引手を操作して回動させたときの状態を示す断面図である。
本実施例３に係るスライダー３は、スライダー胴体１０、スライダー胴体１０に回動可能に取着される引手２０、及び、スライダー胴体１０に嵌着する板バネ部材５０の３つの部品から構成されており、また、板バネ部材５０の後述する停止爪部５３による停止機構を備えている。【００９６】
本実施例３の板バネ部材５０は、基板部５１と、基板部５１の前端から延出した垂下片部５２と、基板部５１の後端から下方に延出した停止爪部５３とを有している。また、基板部５１には、上面窓部５４が開口するとともに、この上面窓部５４の後側開口縁から舌片部５５が延出されている。この舌片部５５には第１窓部５６が開口しており、また、基板部５１から停止爪部５３に亘っては第２窓部５７が開口している。同板バネ部材５０における垂下片部５２の先端部下端には、前述の実施例１と同様に、図示しない第１及び第２突起部が配されている。【００９７】
同板バネ部材５０の第１窓部５６における幅方向の開口寸法は、スライダー胴体１０の第１柱部１１ａにおける突出部１１ｆの幅寸法よりも大きく設定されており、第２窓部５７における幅方向の開口寸法は、スライダー胴体１０の第２柱部１１ｃにおける先端部の幅寸法よりも大きく設定されて形成されている。【００９８】
また、同板バネ部材５０における第１及び第２窓部５６，５７の下側開口縁５６ａ，５７ａは、引手２０の傾斜角度αが０°となる引手２０の後方倒伏時に及び傾斜角度αが１８０°となる引手２０の前方倒伏時に、並びに、図９に示したように、引手２０の枢軸部２２を上翼板１１の上面に当接させたまま引手２０を傾斜角度αが０°＜α＜１８０°の範囲内にて操作したときに、第１及び第２柱部１１ａ，１１ｃからそれぞれ離間する位置に配されている。【００９９】
更に、第１及び第２窓部５６，５７の下側開口縁５６ａ，５７ａは、引手２０が引っ張られて引手２０の枢軸部２２が上翼板１１の上面から離間したときに、第１及び第２規制部として、第１柱部１１ａの先端部（突出部１１ｆ）の下面及び第２柱部１１ｃの先端部下面にそれぞれ当接する位置に配されている。【０１００】
特に本実施例３において、第２窓部５７の下側開口縁５７ａは、引手２０が引っ張られて引手２０の枢軸部２２が上翼板１１の上面から離間した場合に、第１窓部５６の下側開口縁５６ａが第１柱部１１ａの下面に当接すると同時に、又は、第１窓部５６の下側開口縁５６ａが第１柱部１１ａの下面に当接した状態から板バネ部材３０の基板部３１が引手２０の枢軸部２２によって更に持ち上げられたときに、第２柱部１１ｃの下面に当接するように構成されている。【０１０１】
以上のような構成を有する本実施例３のスライダー３は、引手２０を後口側（後方）又は肩口側（前方）に倒伏させた場合には、第１及び第２窓部５６，５７の下側開口縁５６ａ，５７ａが第１及び第２柱部１１ａ，１１ｃからそれぞれ離間するとともに、板バネ部材５０の停止爪部５３がスライダー胴体１０のエレメント案内路１５内に進出した状態となり、同スライダー３の停止機構が作動する。【０１０２】
そして、本実施例３のスライダー３では、図９に示したように引手２０を後口側又は肩口側に倒伏させた状態から、引手２０の枢軸部２２を上翼板１１の上面に当接させたまま、引手２０の傾斜角度αが０°＜α＜１８０°の範囲内、特に３０°≦α≦１５０°の範囲内となるように引手２０を起立させて操作した場合、引手２０の枢軸部２２によって板バネ部材５０の基板部５１が同板バネ部材４０の弾性力に抗して上方に持ち上げられる。これにより、停止爪部５３が持ち上げられてエレメント案内路１５から退避するため、エレメント列に対してスライダー２を自由に摺動させることが可能となる。【０１０３】
なお、傾斜角度αが０°＜α＜１８０°の範囲内で引手２０を操作したときに引手２０の枢軸部２２が上翼板１１の上面に当接したままの場合、本実施例３では、第１及び第２窓部５６，５７の下側開口縁５６ａ，５７ａは、第１及び第２柱部１１ａ，１１ｃの下面からそれぞれ離間している状態となる。【０１０４】
一方、引手２０の操作時に引手２０が強く引っ張られて引手２０の枢軸部２２が上翼板１１の上面から離間した場合には、第１及び第２窓部５６，５７の下側開口縁５６ａ，５７ａを第１及び第２柱部１１ａ，１１ｃの下面にそれぞれ当接させることができる。これによって、板バネ部材５０が持ち上げられる高さを規制でき、板バネ部材５０が必要以上に弾性変形することを抑制できる。従って、板バネ部材５０がスライダー胴体１０から外れることを防止できるとともに、板バネ部材５０の劣化を遅らせて停止機構の正常な作動を維持し、スライダー３を長期に渡って安定して使用することができる。
【実施例４】
【０１０５】
図１０は、本実施例４に係るスライダーにおいて、引手を後口側に倒伏させたときの状態を示す断面図である。図１１は、同スライダーにおいて、引手を操作して回動させたときの状態を示す断面図であり、図１２は、引手を肩口側に倒伏させたときの状態を示す断面図である。【０１０６】
本実施例４に係るスライダー４は、スライダー胴体１０、スライダー胴体１０に回動可能に取着される引手６０、及び、スライダー胴体１０に嵌着する板バネ部材７０の３つの部品から構成されており、また、板バネ部材７０の後述する停止爪部７３による停止機構を備えている。【０１０７】
本実施例４の引手６０は、スライダー４の操作時に指で摘む部分となる引手本体部６１と、引手本体部６１の一端部に配され、断面がカム形状を呈する枢軸部６２とを有している。また、本実施例４の引手６０は、引手本体部６１における厚さ方向の中心面と、枢軸部６２における厚さ方向の中心面とが異なる面上に平行に配され、引手６０をスライダー胴体１０の後口側に倒伏させたときに、枢軸部６２が引手本体部６１に対して下方へ偏倚するように構成されている。【０１０８】
本実施例４の板バネ部材７０は、基板部７１と、基板部７１の前端から延出した垂下片部７２と、基板部７１の後端から下方に延出した停止爪部７３とを有している。また、基板部７１には、上面窓部７４が開口するとともに、この上面窓部７４の後側開口縁から舌片部７５が延出されている。この舌片部７５には第１窓部７６が開口しており、また、基板部７１から停止爪部７３に亘っては第２窓部７７が開口している。同板バネ部材７０における垂下片部７２の先端部下端には、左右方向に張り出す図示しない第１突起部と、後方に突出する第２突起部７２ｂとが配されている。【０１０９】
同板バネ部材７０の第１窓部７６における幅方向の開口寸法は、スライダー胴体１０の第１柱部１１ａにおける突出部１１ｆの幅寸法よりも大きく設定されており、第２窓部７７における幅方向の開口寸法は、スライダー胴体１０の第２柱部１１ｃにおける先端部の幅寸法よりも大きく設定されて形成されている。【０１１０】
また、第１窓部７６の下側開口縁７６ａは、引手６０の傾斜角度αが０°となる引手６０の後方倒伏時に、第１柱部１１ａから離間する位置に配され、また、引手６０の傾斜角度αが０°＜α＜１８０°の範囲内、好ましくは３０°≦α≦１５０°の範囲内となる引手６０の操作時に、第１規制部として第１柱部１１ａの突出部１１ｆの下面に当接する位置に配されている。【０１１１】
なお、本実施例４において、引手６０の枢軸部６２が引手本体部６１に対して偏倚して配されているため、図１２に示すように、引手６０が前方に倒伏して傾斜角度αが１８０°となる場合、引手６０の枢軸部６２が上翼板の上面から離間し、同枢軸部６２によって板バネ部材７０の基板部７１が持ち上げられる。このため、第１窓部７６の下側開口縁７６ａは、引手６０の前方倒伏時にも第１柱部１１ａの突出部１１ｆの下面に当接するように構成されている。【０１１２】
一方、第２窓部７７の下側開口縁７７ａは、傾斜角度αが０°となる引手６０の後方倒伏時に、第２柱部１１ｃから離間する位置に配されている。また、第２窓部７７の下側開口縁７７ａは、引手６０の操作時に、図１２に示したように、第１窓部７６の下側開口縁７６ａが第１柱部１１ａに当接した状態から板バネ部材７０の基板部７１が更に持ち上げられて引手６０の枢軸部６２が上翼板１１の上面から離間したときに、又は、傾斜角度αが１８０°となるように引手６０が前方に倒伏したときに、第２規制部として第２柱部１１ｃの先端部下面に当接する位置に配されている。【０１１３】
以上のような構成を有する本実施例４のスライダー４は、図１０に示したように引手６０を後口側に倒伏させた場合には、第１及び第２窓部７６，７７の下側開口縁７６ａ，７７ａが第１及び第２柱部１１ａ，１１ｃからそれぞれ離間するとともに、板バネ部材７０の停止爪部７３がスライダー胴体１０のエレメント案内路１５内に進出した状態となり、同スライダー４の停止機構が作動する。【０１１４】
そして、本実施例４のスライダー４では、図１１に示したように引手６０を後口側に倒伏させた状態から、引手６０の枢軸部６２を上翼板１１の上面に当接させたまま、引手６０の傾斜角度αが０°＜α＜１８０°の範囲内、特に３０°≦α≦１５０°の範囲内となるように引手６０を起立させて操作した場合、引手６０の枢軸部６２によって板バネ部材７０の基板部７１が上方に持ち上げられる。これにより、停止爪部７３が持ち上げられてエレメント案内路１５から退避するため、エレメント列に対してスライダー４を自由に摺動させることが可能となる。【０１１５】
このように引手６０の枢軸部６２を上翼板１１の上面に当接させたまま、傾斜角度αが０°＜α＜１８０°の範囲内、特に３０°≦α≦１５０°の範囲内で引手６０が操作された場合、本実施例４のスライダー４では、第１窓部７６の下側開口縁７６ａを第１柱部１１ａの下面に当接させることによって、板バネ部材７０が持ち上げられる高さを規制し、板バネ部材７０（特に板バネ部材７０の湾曲部分）の弾性歪みが過剰に大きくなることを抑えられる。なお、本実施例４では、引手６０の枢軸部６２が上翼板１１の上面に接触している場合、板バネ部材７０における第２窓部７７の下側開口縁７７ａは、第２柱部１１ｃの下面から離間している状態が保持される。【０１１６】
また、本実施例４のスライダー４では、引手６０の枢軸部６２が上翼板１１の上面に当接し、且つ、板バネ部材７０における第１窓部７６の下側開口縁７６ａが第１柱部１１ａの下面に当接している状態から、引手６０が更に強く引っ張られることによって、図１２に仮想線で示したように引手６０の枢軸部６２が上翼板１１の上面から離間する場合がある。【０１１７】
この場合、本実施例４のスライダー４では、第１窓部７６の下側開口縁７６ａが第１柱部１１ａに当接したまま、第２窓部７７の下側開口縁７７ａを第２柱部１１ｃの下面に当接させることができる。これによって、板バネ部材７０が持ち上げられる高さを効果的に規制でき、板バネ部材７０の全体が必要以上に弾性変形することを抑制できる。【０１１８】
更に、本実施例４のスライダー４では、引手６０を前方に倒伏させた場合、上述のように引手６０の枢軸部６２が上翼板の上面から離間し、同枢軸部６２によって板バネ部材７０の基板部７１が持ち上げられる。これにより、停止爪部７３が持ち上げられてエレメント案内路１５から退避するため、スライダー４を自由に摺動させることが可能となる。【０１１９】
またこの場合、第１及び第２窓部７６，７７の下側開口縁７６ａ，７７ａが第１及び第２柱部１１ａ，１１ｃにそれぞれ当接して、板バネ部材７０が持ち上げられる高さを規制し、板バネ部材７０の全体が必要以上に弾性変形することを抑制できる。
【符号の説明】
【０１２０】
１                スライダー
２                スライダー
３                スライダー
４                スライダー
１０                スライダー胴体
１１                上翼板
１１ａ              第１柱部
１１ｂ              支持台部
１１ｃ              第２柱部
１１ｄ              挿入孔
１１ｅ              爪孔
１１ｆ              突出部
１１ｇ              当接部
１２                下翼板
１３                案内柱
１４                フランジ部
１５                エレメント案内路
１６                前端溝部
１６ａ              第１係止部
１６ｂ              第２係止部
１６ｃ              下壁部
２０                引手
２１                引手本体部
２２                枢軸部
３０                板バネ部材
３１                基板部
３２                垂下片部
３２ａ              第１突起部
３２ｂ              第２突起部
３３                停止爪部
３４                上面窓部
３５                舌片部
３６                第１窓部
３６ａ              下側開口縁
３７                第２窓部
３７ａ              下側開口縁
４０                板バネ部材
４１                基板部
４２                垂下片部
４２ｂ              第２突起部
４３                停止爪部
４４                上面窓部
４５                舌片部
４６                第１窓部
４６ａ              下側開口縁
４７                第２窓部
４７ａ              下側開口縁
５０                板バネ部材
５１                基板部
５２                垂下片部
５３                停止爪部
５４                上面窓部
５５                舌片部
５６                第１窓部
５６ａ              下側開口縁
５７                第２窓部
５７ａ              下側開口縁
６０                引手
６１                引手本体部
６２                枢軸部
７０                板バネ部材
７１                基板部
７２                垂下片部
７２ｂ              第２突起部
７３                停止爪部
７４                上面窓部
７５                舌片部
７６                第１窓部
７６ａ              下側開口縁
７７                第２窓部
７７ａ              下側開口縁
【図１】
2012032657.tif 000003
【図２】
2012032657.tif 000004
【図３】
2012032657.tif 000005
【図４】
2012032657.tif 000006
【図５】
2012032657.tif 000007
【図６】
2012032657.tif 000008
【図７】
2012032657.tif 000009
【図８】
2012032657.tif 000010
【図９】
2012032657.tif 000011
【図１０】
2012032657.tif 000012
【図１１】
2012032657.tif 000013
【図１２】
2012032657.tif 000014
【図１３】
2012032657.tif 000015
【国際調査報告】
2012032657.tif 000016
2012032657.tif 000017
2012032657.tif 000018
2012032657.tif 000019